(57)【特許請求の範囲】
【請求項１】
電池の消耗を抑制する電池消耗抑制動作を含む初動対策の実行指示である初動対策指示を送信する管理端末と、
前記管理端末から前記初動対策指示を受信したとき前記初動対策を行う紛失端末と、
を備え、
前記管理端末は、
前記初動対策指示を送信後、前記紛失端末から返信がないとき、前記紛失端末のデータを完全に消去する旨の指示を前記紛失端末に送信する携帯情報端末紛失時対策システム。
【請求項２】
前記紛失端末は、
前記初動対策指示を受信したとき、
前記初動対策を行なうのに十分な電池残量がない場合、端末内のデータを完全に消去し、
前記初動対策を行なうのに十分な電池残量がある場合、前記電池残量によって実行するのに十分な紛失時対策動作を選択して実行する請求項１記載の携帯情報端末紛失時対策システム。
【請求項３】
前記紛失端末は、
前記初動動作を開始後に定期的に位置情報を前記管理端末に送信し、
前記管理端末は、
前記位置情報を所定時間内に受信しなかった場合、前記紛失端末のデータを完全に消去する旨の指示を前記紛失端末に送信する請求項２記載の携帯情報端末紛失時対策システム。
【請求項４】
前記電池消耗抑制動作は、
不要な常駐アプリケーションの停止、通信停止、ディスプレイのバックライト消灯のうち一つ以上を含む請求項１記載の携帯情報端末紛失時対策システム。
【請求項５】
電池の消耗を抑制する電池消耗抑制動作を含む初動対策の実行指示である初動対策指示を送信する管理端末と、
前記管理端末から前記初動対策指示を受信したとき前記初動対策を行う紛失端末と、
を備え
前記初動対策は、
消去前のデータリストの作成である一次資産目録の作成と、
予め指定されたデータの選択的消去と、
消去後のデータリストの作成である二次資産目録の作成と、
を含む携帯情報端末紛失時対策システム。
【発明の詳細な説明】
【技術分野】
【０００１】
本発明の実施形態は、携帯情報端末を紛失したときの対策を講じることが可能な携帯情報端末紛失時対策システムに関する。
【背景技術】
【０００２】
スマートフォンに代表される携帯情報端末は高度な通信機能とともに各種のデータを記憶させることができる。顧客情報などの機密情報が記憶されている場合、この携帯情報端末を紛失したり盗難にあったりしたときは速やかに回収するか、機密データを消去する必要がある。
【０００３】
この点に関し、データをリモートにより消去したり、ＧＰＳにより携帯情報端末の所在を追跡したりするシステムが提案されている。
【先行技術文献】
【特許文献】
【０００４】
【特許文献１】特開２００６−３０３８１７号公報
【特許文献２】特開２００８−１０９３０６号公報
【発明の概要】
【発明が解決しようとする課題】
【０００５】
しかし、上述の技術を適用しようとしても紛失した携帯情報端末の電池残量、すなわち電力供給能力が少なくなっていると、予定した動作を実行することが不可能となる場合があり、紛失時の対策が必ずしも有効に機能するとは限らない。
【課題を解決するための手段】
【０００６】
上記の課題を解決するために、本発明の一実施形態は電池の消耗を抑制する電池消耗抑制動作を含む初動対策の実行指示である初動対策指示を送信する管理端末と、管理端末から初動対策指示を受信したとき初動対策を行う紛失端末と、を備え、管理端末は、初動対策指示を送信後、紛失端末から返信がないとき、紛失端末のデータを完全に消去する旨の指示を紛失端末に送信する携帯情報端末紛失時対策システムを提供する。
【図面の簡単な説明】
【０００７】
【図１】携帯情報端末紛失時対策システムの構成を表す図である。
【図２】管理端末の構成を示す図である。
【図３】携帯情報端末である紛失端末及び探索端末の構成を示す図である。
【図４】携帯情報端末紛失時対策システムの動作を示すフローチャートである。
【図５】携帯情報端末紛失時対策システムの動作を示すフローチャートである。
【図６】動作電池残量テーブルの例を示す図である。
【図７】設定ファイルの例を示す図である。
【図８】動作記録ファイルの例を示す図である。
【図９】所在記録ファイルの例を示す図である。
【発明を実施するための形態】
【０００８】
以下、本発明による携帯情報端末紛失時対策システムの一実施形態について、図面を用いて詳細に説明する。
【０００９】
携帯情報端末紛失時対策システムは、電池の消耗を抑制する電池消耗抑制動作を含む初動対策の実行指示である初動対策指示を送信する管理端末と、前記管理端末から前記初動対策指示を受信したとき前記初動対策を行う紛失端末と、を備える。
【００１０】
図１は、本実施形態の携帯情報端末紛失時対策システムの構成を表す図である。図１に示すように、携帯情報端末紛失時対策システムは、紛失した携帯情報端末である紛失端末１０５と、紛失端末１０５にインターネットなどの公衆通信回線網１０２を介して電子メールを送受信可能な管理端末１０１と、紛失端末１０５を移動して探索する探索端末１０４と、を備える。
【００１１】
管理端末１０１は、公衆通信回線網１０２を介して携帯電話通信業者の携帯電話通信装置１０３と接続される。管理端末１０１は、いわゆるパソコン、又はサーバを用いることができる。
【００１２】
紛失端末１０５は、携帯電話通信装置１０３を介して管理端末１０１と電子メールの送受信が可能である。
【００１３】
探索端末１０４は、携帯情報端末であることが望ましい。探索端末１０４は、いわゆるパソコンでもよい。
【００１４】
図２は、管理端末１０１の構成を示す図である。図２に示すように、管理端末１０１は、演算装置であるＣＰＵ２０１と、記憶装置であるＲＯＭ、ＲＡＭ２０２と、キーボード、ディスプレイ、マウスなどの入出力装置２０３と、大容量記憶装置であるハードディスクドライブ２０４と、公衆通信回線網１０２に接続するための通信インターフェース２０５と、を備える。
【００１５】
図３は、携帯情報端末である紛失端末１０５及び探索端末１０４の構成を示す図である。図３に示すように、紛失端末１０５及び探索端末１０４は、演算装置であるＣＰＵ３０１と、ＲＯＭ、ＲＡＭ３０２と、例えばキーボード又はタッチパネル、ディスプレイ、マイク、スピーカなどの入出力装置３０３と、記憶装置３０４と、通信を行うための通信インターフェース３０５と、位置情報を取得するためのＧＰＳ３０６と、電力を供給する電池３０７と、を備える。
【００１６】
図４及び図５は、携帯情報端末紛失時対策システムの動作を示すフローチャートである。携帯情報端末紛失時対策システムの動作は、初動対策と探索動作とを含む。初動対策には電池の消耗を抑制する電池消耗抑制対策動作と、紛失端末に残されたデータの管理を行う初動とが含まれる。図４は初動対策を示し、図５は探索動作を示す。
【００１７】
図４に示すように、携帯情報端末の紛失が発覚した場合、ステップ４０１において管理端末１０１は紛失端末１０５に初動対策の開始を指示する初動対策メールを送信する。ここで、紛失端末１０５はロックを実行し、一切の端末上の操作ができないようにする。
【００１８】
ステップ４０２において、紛失端末１０５は初動対策メールを受信する。紛失端末１０５は、初動対策メールを受信すると電池消耗抑制対策動作を行う。すなわち、紛失端末１０５は、ステップ４０３において不要な常駐アプリケーションの停止を行い、ステップ４０４において必要時以外の通信を停止し、ステップ４０５においてディスプレイのバックライトを消灯する。
【００１９】
さらに、紛失端末１０５は、ステップ４０６において電池残量を測定する。紛失端末１０５は、電池残量が初動開始に十分かを判定し、十分である場合にはステップ４０８に、十分でない場合、すなわち電池残量が閾値を下回った場合には図５のステップ５１２に進む。
【００２０】
ステップ４０８において、紛失端末１０５は管理端末１０１に初動開始を通知する初動開始メールを送信する。
【００２１】
ステップ４０９において、管理端末１０１は初動開始メールを受信する。
【００２２】
ステップ４１０において、紛失端末１０５は紛失端末１０５に残されているデータのリストである一次資産目録を作成し、記憶装置３０４に格納する。
【００２３】
ステップ４１１において、紛失端末１０５は消去するデータのリストである、消去データリストを記憶装置３０４から読み込む。ステップ４１２において、紛失端末１０５は、予め指定されたデータを選択的に消去、すなわち消去データリストに挙げられているデータを消去する。
【００２４】
ステップ４１３において、紛失端末１０５は消去動作後に紛失端末１０５に残されているデータのリストである二次資産目録を作成し、記憶装置３０４に格納する。
【００２５】
ステップ４１４において、紛失端末１０５は待受け画面を変更する。すなわち、紛失端末１０５は、待受け画面を「この端末を取得した方は、次の連絡先にご連絡ください。電話番号：・・・」のように紛失と連絡の要請を表示する画面に変更する。
【００２６】
ステップ４１５において、紛失端末１０５は探索動作を実行する追跡モードに変更する。ステップ４１６において、紛失端末１０５は追跡開始メールを管理端末１０１に送信する。このとき、紛失端末１０５は記憶装置３０４から一次資産目録と二次資産目録とを読み出して追跡開始メールに添付して送信し、図５のステップ５０１に進む。
【００２７】
ステップ４１７において、管理端末１０１は追跡開始メールを予め定められた時間内、例えば５分以内に受信したかを判定する。管理端末１０１は、所定時間内に追跡開始メールを受信した場合、図５のステップ５０３に進み、受信しなかった場合は図５のステップ５０４に進む。
【００２８】
図５に示すように、ステップ５０１において紛失端末１０５は所定時間ごと、例えば１０分ごとにＧＰＳ３０６により紛失端末１０５の位置情報を取得し、記憶装置３０４に格納する。
【００２９】
ステップ５０２において、紛失端末１０５は記憶装置３０４から位置情報を読み出し、位置情報を通知するメールである位置情報メールに添付して管理端末１０１と探索端末１０４に送信する。
【００３０】
ステップ５０３において、管理端末１０１は位置情報メールを所定時間内、例えば２０分以内に受信したかを判定する。管理端末１０１は、位置情報メールを所定時間内に受信しなかった場合はステップ５０４に進み、受信した場合はステップ５０３に戻る。
【００３１】
ステップ５０４において、管理端末１０１はデータをすべて消去し、初期状態に戻す指示である完全消去メールを紛失端末１０５に送信する。
【００３２】
ステップ５０５において、探索端末１０４は紛失端末１０５から位置情報メールを受信する。ここで、探索端末１０４を所持する探索者は位置情報を手掛かりとして紛失端末１０５の位置に向けて移動する。
【００３３】
ステップ５０６において、探索端末１０４は所定時間ごと、例えば１０分ごとにＧＰＳ３０６を用いて探索端末１０４の位置情報を取得する。
【００３４】
ステップ５０７において、探索端末１０４は、取得した探索端末の位置情報と位置情報メールに記載されている紛失端末１０５の位置情報とを比較し、探索端末１０４と紛失端末１０５の位置が所定距離、例えば１０ｍ以内であるかを判定する。探索端末１０４は、紛失端末１０５との距離が所定距離以内であるとき、ステップ５０８に進み、所定距離以内にないときステップ５０５に戻る。
【００３５】
なお位置情報メールは紛失端末１０５の位置を地図上で目視確認するための地図表示手段を有していてもよい。例えば、位置情報メールにはインターネットの地図情報を表示するサイトのアドレスを付加することができる。この場合、探索者はこのアドレスを開くことにより紛失端末１０５の位置を地図上で目視確認することができる。
【００３６】
ステップ５０８において、探索端末１０４は紛失端末１０５に音声を発生させる指示である発報メールを紛失端末１０５に送信する。
【００３７】
ステップ５０９において、紛失端末１０５は発報メールを受信したかを判定する。紛失端末１０５は、発報メールを受信したときステップ５１０において音声を発報し、発報メールを受信していないときステップ５１１に進む。
【００３８】
ステップ５１１において、紛失端末１０５は完全消去メールを受信したかを判定する。紛失端末１０５は、完全消去メールを受信していないときステップ５０２に戻り、受信したときステップ５１２においてデータを完全に消去する。
【００３９】
図６は、図４のステップ４０７において使用する動作電池残量テーブルの例を示す図である。図６に示すように、動作電池残量テーブルは紛失端末１０５が行う動作と、この動作に必要な電池の残量を格納する。
【００４０】
例えば、「不要な常駐アプリケーションの停止」の動作に必要な電池の残量は「２０％」である。
【００４１】
動作電池残量テーブルは記憶装置３０４に格納される。なお、紛失端末１０５は、ステップ４０７において、一部の動作を行うには電池残量は十分であるが、他の操作を行うには不足している場合、これらの電池残量を多く必要とする動作を選択的に省略することができる。
【００４２】
例えば、電池残量が２５％であるとき、紛失端末１０５は、電池残量を３０％必要とする資産目録の作成、データ消去、待受け画面変更、位置情報取得、音声発報を行わず、不要な常駐アプリケーションの停止、通信停止、乃至データ完全消去だけを行うことができる。
【００４３】
図７は、紛失端末１０５が記憶装置３０４に格納する設定ファイルの例を示す図である。図７に示すように、設定ファイルは、例えば「メール設定」、「電池残量と対策時限の設定」、「電池消耗抑制対策の設定」、「紛失対策時の設定」、及び「ＧＰＳ追跡の設定」を格納する。
【００４４】
「メール設定」は、受信メールの差出人を識別する情報を含む「受信設定」と、返信先のメールアドレスを含む「メール返信設定」と、メールの受信記録である「メール受信データ記録」と、メールの返信記録である「メール返信データ記録」と、を含む。
【００４５】
「電池残量と対策時限の設定」は、電池残量ごとの待受け可能時間と、対策可能時間と、を含む。
【００４６】
「電池消耗抑制対策の設定」は、停止するプロセス名と、通信を停止する時間帯と、を含む。
【００４７】
「紛失対策時の設定」は、作業項目をグルーピングした「対策のグルーピング」を含む。
【００４８】
「ＧＰＳ追跡の設定」は、位置情報取得を行う移動距離の閾値である「記録条件」と、位置情報を格納するファイルの位置である「測位ファイルのパス」と、を格納する。
【００４９】
図８は、紛失端末１０５が位置情報メールに添付する動作記録ファイルの例を示す図である。図８に示すように、動作記録ファイルは「メール記録」と「実行記録」とを格納する。
【００５０】
「メール記録」は、受信メールの記録である「受信メールデータ記録」と、返信メールの記録と、添付ファイルの情報である「返信メールデータ記録」とを含む。「実行記録」は、実行日時と、実行した動作の種類と、を含む。
【００５１】
紛失端末１０５は、メールの件名に示された「受信命令」に従って対応するアプリケーションを起動し、起動日時と起動した旨を返信する。
【００５２】
図９は、紛失端末１０５が位置情報メールに添付する所在記録ファイルの例を示す図である。図９に示すように、所在記録ファイルである「ＲＴ.ｋｍｌ」は所在記録を経時的に格納する。
【００５３】
各所在記録は、記録回数、端末ＩＤ、日時、電池残量、残り時間、緯度、経度、移動距離、及び対策実行番号を含む。ここで、残り時間とは紛失時対策が可能な時間を表す。
【００５４】
以上述べたように、本実施形態の携帯情報端末紛失時対策システムは、電池消耗抑制動作を含む初動対策指示と、データを完全に消去する完全消去指示を送信する管理端末１０１と、管理端末１０１から初動対策指示を受信したとき初動対策を行い、完全消去指示を受信したときデータを完全に消去する紛失端末１０５と、紛失端末１０５の所定距離以内に入ったときに紛失端末１０５に対して発報指示を行う探索端末１０４と、を備える。
【００５５】
従って、携帯情報端末紛失時対策システムは、紛失端末１０５の電池消耗を抑制しながら紛失対策を行うことができるという効果がある。
【００５６】
また、紛失端末１０５は電池残量を管理端末１０１に送信し、管理端末１０１はこの電池残量に応じた紛失対策を選択的に行う。
【００５７】
従って、携帯情報端末紛失時対策システムは、電池残量に応じた効率のよい紛失対策を適時適切に実行でき、紛失時の対策が有効に機能する可能性を高めることができるという効果がある。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１０１：管理端末、
１０２：公衆通信回線網、
１０４：探索端末、
１０５：紛失端末。
【図１】
0005134059.tif 000002
【図２】
0005134059.tif 000003
【図３】
0005134059.tif 000004
【図４】
0005134059.tif 000005
【図５】
0005134059.tif 000006
【図６】
0005134059.tif 000007
【図７】
0005134059.tif 000008
【図８】
0005134059.tif 000009
【図９】
0005134059.tif 000010